Podtech/llm-jp-corpus-v4-ja_patent huggingface dataset:
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
撮像後にリフォーカス処理として、画像処理により撮像時とは異なる距離に合焦したリフォーカス画像を生成可能なライトフィールドデータを画像処理する画像処理装置であって、
複数の距離のそれぞれにおける輝度値に応じた複数の第１の露出値を取得する第１の露出取得手段と、
前記撮像時の露出値としての第２の露出値を設定する第２の露出設定手段と、
前記リフォーカス処理において合焦する距離であるリフォーカス距離と少なくとも１つの前記第１の露出値と前記第２の露出値とを用いて前記リフォーカス画像の明るさを補正するための明るさ補正値を取得する補正値取得手段と、
前記明るさ補正値を用いて前記リフォーカス処理を行い、前記リフォーカス画像を生成する処理手段とを有することを特徴とする画像処理装置。
【請求項２】
前記リフォーカス処理においてリフォーカスが可能な距離の範囲であるリフォーカス可能範囲を取得する範囲取得手段と、
前記リフォーカス可能範囲に含まれる被写体を検出する被写体検出手段を有し、
前記第１の露出取得手段は、前記リフォーカス可能範囲内で検出された複数の被写体が位置する前記距離ごとに前記第１の露出値を取得することを特徴とする請求項１に記載の画像処理装置。
【請求項３】
前記補正値取得手段は、前記リフォーカス距離に応じた前記第１の露出値または少なくとも１つの前記第１の露出値を用いて取得された前記リフォーカス距離に応じた露出値と前記第２の露出値との差を用いて前記明るさ補正値を取得することを特徴とする請求項１または２に記載の画像処理装置。
【請求項４】
前記第２の露出設定手段は、前記複数の第１の露出値のうち最も大きい露出値を用いて前記第２の露出値を設定することを特徴とする請求項１から３のいずれか一項に記載の画像処理装置。
【請求項５】
前記複数の距離のそれぞれに対する前記第１の露出値と前記第２の露出値との差である露出差を前記距離に対応付けて記憶する記憶手段を有することを特徴とする請求項１から４のいずれか一項に記載の画像処理装置。
【請求項６】
前記第２の露出設定手段は、前記複数の距離のそれぞれに対する前記第１の露出値における最大の差に応じてダイナミックレンジを設定することを特徴とする請求項１から５のいずれか一項に記載の画像処理装置。
【請求項７】
撮像により互いに視差を有する複数の視差画像を取得する撮像部と、
請求項１から６のいずれか一項に記載の画像処理装置とを有することを特徴とする撮像装置。
【請求項８】
撮像後にリフォーカス処理として、画像処理により撮像時とは異なる距離に合焦したリフォーカス画像を生成可能なライトフィールドデータを画像処理する画像処理方法であって、
複数の距離のそれぞれにおける輝度値に応じた複数の第１の露出値を取得するステップと、
前記撮像時の露出値としての第２の露出値を設定するステップと、
前記リフォーカス処理において合焦する距離であるリフォーカス距離と少なくとも１つの前記第１の露出値と前記第２の露出値とを用いて前記リフォーカス画像の明るさを補正するための明るさ補正値を取得するステップと、
前記明るさ補正値を用いて前記リフォーカス処理を行い、前記リフォーカス画像を生成するステップとを有することを特徴とする画像処理方法。
【請求項９】
撮像後にリフォーカス処理として、画像処理により撮像時とは異なる距離に合焦点したリフォーカス画像を生成可能なライトフィールドデータを画像処理するコンピュータに画像処理を実行させるコンピュータプログラムであって、
前記画像処理は、
複数の距離のそれぞれにおける輝度値に応じた複数の第１の露出値を取得するステップと、
前記撮像時の露出値としての第２の露出値を設定するステップと、
前記リフォーカス処理において合焦する距離であるリフォーカス距離と少なくとも１つの前記第１の露出値と前記第２の露出値とを用いて前記リフォーカス画像の明るさを補正するための明るさ補正値を取得するステップと、
前記明るさ補正値を用いて前記リフォーカス処理を行い、前記リフォーカス画像を生成するステップとを有することを特徴とする画像処理プログラム。
【手続補正２】
【補正対象書類名】明細書
【補正対象項目名】０００７
【補正方法】変更
【補正の内容】
【０００７】
本発明の一側面としての画像処理装置は、撮像後にリフォーカス処理として、画像処理により撮像時とは異なる距離に合焦したリフォーカス画像を生成可能なライトフィールドデータを画像処理する。該装置は、複数の距離のそれぞれにおける輝度値に応じた複数の第１の露出値を取得する第１の露出取得手段と、撮像時の露出値としての第２の露出値を設定する第２の露出設定手段と、リフォーカス処理において合焦する距離であるリフォーカス距離と少なくとも１つの第１の露出値と第２の露出値とを用いてリフォーカス画像の明るさを補正するための明るさ補正値を取得する補正値取得手段と、明るさ補正値を用いてリフォーカス処理を行い、リフォーカス画像を生成する処理手段とを有することを特徴とする。
【手続補正３】
【補正対象書類名】明細書
【補正対象項目名】０００９
【補正方法】変更
【補正の内容】
【０００９】
また、本発明の他の一側面としての画像処理方法は、撮像後にリフォーカス処理として、画像処理により撮像時とは異なる距離に合焦したリフォーカス画像を生成可能なライトフィールドデータを画像処理する方法である。該方法は、複数の距離のそれぞれにおける輝度値に応じた複数の第１の露出値を取得するステップと、撮像時の露出値としての第２の露出値を設定するステップと、リフォーカス処理において合焦する距離であるリフォーカス距離と少なくとも１つの第１の露出値と第２の露出値とを用いてリフォーカス画像の明るさを補正するための明るさ補正値を取得するステップと、明るさ補正値を用いてリフォーカス処理を行い、リフォーカス画像を生成するステップとを有することを特徴とする。
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
前面に遊技球が流下可能な遊技領域を有する遊技盤と、
前記遊技領域の左上部に配置され、そこから右上方に向けて遊技球を前記遊技領域に進入させるための進入口と、を有する遊技機において、
前記遊技盤の前面から突出し、前記進入口から遊技球が進入してくる斜め上下方向に沿って遊技球１つ以上の間隔を開けて並び、前記遊技領域を流下する遊技球の流下方向を変更する複数の樹脂製の突部からなる樹脂製の突部群が設けられ、
前記樹脂製の突部群には、
前記進入口から前記遊技領域に案内された遊技球が衝突し得る縦向球受面を有する第１の突部と、
前記縦向球受面の左下方に位置し、且つ前記縦向球受面側の面が右下がりに傾斜し、その傾斜の途中位置の左側が右側より急勾配になった横向球受面を有する第２の突部と、を備えていることを特徴とする遊技機。
【請求項２】
前記縦向球受面と前記横向球受面とは、上下方向から見て重ならない位置に配置されている請求項１に記載の遊技機。
【請求項３】
前記樹脂製の突部群は、３つの突部が斜め上下方向に並んで配置され、少なくとも上側２つの前記突部に前記縦向球受面が形成され、少なくとも下側２つの前記突部に前記横向球受面が形成されている請求項１または２に記載の遊技機。
【手続補正２】
【補正対象書類名】明細書
【補正対象項目名】０００６
【補正方法】変更
【補正の内容】
【０００６】
上記目的を達成するためになされた請求項１の発明は、前面に遊技球が流下可能な遊技領域を有する遊技盤と、前記遊技領域の左上部に配置され、そこから右上方に向けて遊技球を前記遊技領域に進入させるための進入口と、を有する遊技機において、前記遊技盤の前面から突出し、前記進入口から遊技球が進入してくる斜め上下方向に沿って遊技球１つ以上の間隔を開けて並び、前記遊技領域を流下する遊技球の流下方向を変更する複数の樹脂製の突部からなる樹脂製の突部群が設けられ、前記樹脂製の突部群には、前記進入口から前記遊技領域に案内された遊技球が衝突し得る縦向球受面を有する第１の突部と、前記縦向球受面の左下方に位置し、且つ前記縦向球受面側の面が右下がりに傾斜し、その傾斜の途中位置の左側が右側より急勾配になった横向球受面を有する第２の突部と、を備えていることを特徴とする遊技機である。
請求項２の発明は、前記縦向球受面と前記横向球受面とは、上下方向から見て重ならない位置に配置されている請求項１に記載の遊技機である。
請求項３の発明は、前記樹脂製の突部群は、３つの突部が斜め上下方向に並んで配置され、少なくとも上側２つの前記突部に前記縦向球受面が形成され、少なくとも下側２つの前記突部に前記横向球受面が形成されている請求項１または２に記載の遊技機である。
【手続補正３】
【補正対象書類名】明細書
【補正対象項目名】０００７
【補正方法】変更
【補正の内容】
【０００７】
請求項１の発明では、樹脂製の突部に設けられた横向球受面が、進入口へと向かう遊技球と衝突することで、その遊技球の逆戻りが抑制される。
【手続補正４】
【補正対象書類名】明細書
【補正対象項目名】０００８
【補正方法】変更
【補正の内容】
【０００８】
本発明では、樹脂製の突部に設けられた横向球受面が、進入口へと向かう遊技球と衝突することで、その遊技球の逆戻りが抑制される。
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
当否判定結果が当たりとなる場合には同じ種類の識別図柄から構成される当たり組み合わせが表示装置に表示される遊技機であって、
前記表示装置に表示される経時的に変化していた映像が固まり、前記表示装置に前記識別図柄を含む静止画が表示されるフリーズ演出と、
前記フリーズ演出の後、前記表示装置に所定映像が表示される中継演出と、
前記中継演出の後、同じ種類の前記識別図柄が揃った状態で変動表示される全回転演出と、
を実行する演出実行手段を備え、
前記フリーズ演出における前記静止画は、含まれる前記識別図柄の種類が毎回異なるものとなる可能性があり、
前記中継演出における前記所定映像の態様は、毎回同じであることを特徴とする遊技機。
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
変動した状態で表示される識別図柄を停止させ、その停止した識別図柄によって当否判定結果を報知する遊技機であって、
対象の当否判定結果を報知するための前記識別図柄が最終的に完全に停止して当該対象の当否判定結果が確定的に報知される直前の期間として当該識別図柄が擬似的に停止した状態となる擬似停止期間が設定されることがあり、
前記対象の当否判定結果がはずれであるかのような態様で前記識別図柄が擬似的に停止した前記擬似停止期間中には、
前記対象の当否判定結果が実は当たりであったことを示す逆転演出だけでなく、
前記対象の当否判定結果とは異なる当否判定結果であって当該対象の当否判定結果を報知する演出が開始される時点で既に取得されていた当否判定情報に基づく別の当否判定結果が当たりとなる蓋然性が高まったことを示唆する確定直前演出が発生しうることを特徴とする遊技機。
【請求項２】
前記確定直前演出は、前記対象の当否判定結果がはずれである場合に発生しうることを特徴とする請求項１に記載の遊技機。
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
所定の領域に遊技球が進入したことを契機として当否判定情報を取得する当否判定情報取得手段と、
前記当否判定情報取得手段によって取得された当否判定情報が特定情報であり、かつ、所定の禁止条件が成立していない場合には、当該特定情報取得時に実行されている実行中演出がどのような演出であっても、当該特定情報の取得を契機として当該実行中演出の代わりに特定演出を開始させる演出制御手段と、
複数種の発光態様に発光可能な発光部材と、
を備え、
前記特定演出の開始時には、前記実行中演出に合わせて前記発光部材が発光していた場合であっても、当該発光部材の発光態様が前記特定演出に合わせたものに切り替えられることを特徴とする遊技機。
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
複数の選択肢のうちのいずれかを遊技者が選択することが可能な選択演出を実行することが可能な遊技機であって、
新たに発生する前記選択演出として、前回発生した選択演出においては選択肢として提示されていなかった新選択肢が追加された増加態様の演出、および、前回発生した選択演出と提示された選択肢が変わらない維持態様の演出が発生しうるものであり、
前記増加態様の前記選択演出にて提示された複数の選択肢のうちから遊技者が所望のものを選択しなかった場合、前記新選択肢が選択されたものと取り扱われる一方、前記維持態様の前記選択演出にて提示された複数の選択肢のうちから遊技者が所望のものを選択しなかった場合、前回選択された選択肢以外の選択肢のいずれかが選択されたものと取り扱われることを特徴とする遊技機。
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
表示装置に表示される経時的に変化していた映像が固まり、前記表示装置に静止画が表示されるフリーズ演出と、
前記フリーズ演出の後、前記表示装置に事後映像が表示される事後演出と、
を実行する演出実行手段を備え、
前記フリーズ演出における前記静止画の態様は、毎回異なるものとなる可能性がある一方、
前記フリーズ演出における前記静止画の態様によらず、前記事後演出における前記事後映像の態様は、毎回同じであることを特徴とする遊技機。
【請求項２】
前記事後映像は、前記表示装置の表示領域が破壊されたかのような態様の映像であることを特徴とする請求項１に記載の遊技機。
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
当否判定情報の存在を示す保留画像が表示される表示装置と、
前記保留画像の態様が変化する成功結末に至った場合には、当該保留画像に対応する当否判定情報に基づく当否判定結果が当たりとなる蓋然性が高まったことが示唆される保留変化演出を実行する演出実行手段と、
を備え、
前記保留変化演出時に、前記保留画像を模した代替画像が、通常時に保留画像が表示される通常位置とは異なる特殊位置に表示される可能性があり、
前記通常位置に表示された前記保留画像を利用した通常保留変化演出よりも、前記特殊位置に表示された前記代替画像を利用した特殊保留変化演出の方が、前記成功結末に至る蓋然性が高いことを特徴とする遊技機。
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
当否判定情報を記憶する記憶手段と、
前記当否判定情報に基づき当否判定を行う当否判定手段と、
変動した状態から停止することで前記当否判定手段による当否判定結果を報知する識別図柄を表示する表示手段と、
を備え、
前記記憶手段に記憶されている先の当否判定情報に基づく先の当否判定結果を報知する前記識別図柄が変動を開始する時点で、当該先の当否判定情報よりも後に取得された後の当否判定情報が前記記憶手段に記憶されているとき、
前記先の当否判定結果を報知する識別図柄が完全に停止して当該先の当否判定結果の報知が完了する直前の期間であって当該識別図柄が擬似停止した状態にある擬似停止期間において、前記後の当否判定情報に基づく後の当否判定結果に関する確定直前演出が実行可能である
ことを特徴とする遊技機。
【請求項２】
前記擬似停止期間の長さは一定ではなく、当該擬似停止期間の長さが所定時間以上となる場合には前記確定直前演出の発生が確定することを特徴とする請求項１に記載の遊技機。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
変動した状態で表示される識別図柄を停止させ、その停止した識別図柄によって当否判定結果を報知する遊技機であって、
対象の当否判定結果を報知するための前記識別図柄が最終的に完全に停止して当該対象の当否判定結果が確定的に報知される直前の期間として当該識別図柄が擬似的に停止した状態となる擬似停止期間を設定する擬似停止期間設定手段と、
遊技者に有利な事象が発生する場合には成功結末に至り、遊技者に有利な事象が発生しない場合には失敗結末に至る特定演出を実行する演出実行手段と、
を備え、
前記特定演出は、
前記擬似停止期間以外の期間に発生する場合には、前記成功結末に至ることもあれば、前記失敗結末に至ることもあり、
前記擬似停止期間に発生する場合には、前記失敗結末に至ることはない
ように設定されていることを特徴とする遊技機。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
所定の領域に遊技球が進入したことを契機として当否判定情報を取得する当否判定情報取得手段と、
所定数を限度として前記当否判定情報を記憶する記憶手段と、
前記当否判定情報取得手段によって取得された当否判定情報が特定情報であり、かつ、当該特定情報よりも先に前記当否判定情報取得手段によって取得されて前記記憶手段に記憶される先の当否判定情報の数が所定数未満でない場合には、当該特定情報取得時に実行されている実行中演出がどのような演出であっても、当該特定情報の取得を契機として当該実行中演出の代わりに特定演出を開始させる演出制御手段と、
を備えることを特徴とする遊技機。
【請求項２】
演出用の効果音を出力する音出力装置を備え、
前記特定演出の開始時には、前記音出力装置から前記実行中演出に合わせた演出用の効果音が出力されていた場合であっても、当該演出用の効果音が前記特定演出に合わせたものに切り替えられることを特徴とする請求項１に記載の遊技機。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
表示装置にて複数の識別図柄を含む複数の識別図柄群が変動を開始し、各識別図柄群から選択された識別図柄の組み合わせが当否判定結果を示す組み合わせとなって停止するまでの報知演出を実行する報知演出実行手段と、
前記報知演出の一部として実行される演出であって、前記表示装置に表示される経時的に変化していた映像が固まり、前記表示装置に前記識別図柄を含む静止画が表示されるフリーズ演出を実行するフリーズ演出実行手段と、
を備え、
ある報知演出にて前記フリーズ演出が実行される場合、当該フリーズ演出の前記静止画は、当該ある報知演出の一つ前の報知演出として当否判定結果を示す組み合わせを構成した前記識別図柄の少なくとも一部を含むことを特徴とする遊技機。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
所定の特典を付与するか否かを判定し、該判定の結果に基づいて特典を付与する遊技機であって、
識別情報を変動表示させ、前記判定の結果に基づいて識別情報を停止表示させる変動表示手段と、
前記識別情報の変動表示に伴って、前記特典が付与される可能性を示唆する特定演出を実行する特定演出実行手段と、
前記特定演出が実行される可能性を示唆する期待演出を、前記特定演出の開始前に実行する期待演出実行手段と
を備え、
前記特定演出実行手段は、前記特定演出が進行するに従って演出態様を、第１段階に対応した第１段階演出から段階的に変化させ、段階が上がるほど前記特典が付与される可能性が高くなることを示唆する演出を実行する手段であり、
前記期待演出実行手段は、前記特定演出で前記第１段階演出から段階が上がる可能性も、前記期待演出の中で示唆する
ことを特徴とする遊技機。
【手続補正２】
【補正対象書類名】明細書
【補正対象項目名】０００６
【補正方法】変更
【補正の内容】
【０００６】
上述した課題の少なくとも一部を解決するために、本発明の遊技機では次の構成を採用した。すなわち、
所定の特典を付与するか否かを判定し、該判定の結果に基づいて特典を付与する遊技機であって、
識別情報を変動表示させ、前記判定の結果に基づいて識別情報を停止表示させる変動表示手段と、
前記識別情報の変動表示に伴って、前記特典が付与される可能性を示唆する特定演出を実行する特定演出実行手段と、
前記特定演出が実行される可能性を示唆する期待演出を、前記特定演出の開始前に実行する期待演出実行手段と
を備え、
前記特定演出実行手段は、前記特定演出が進行するに従って演出態様を、第１段階に対応した第１段階演出から段階的に変化させ、段階が上がるほど前記特典が付与される可能性が高くなることを示唆する演出を実行する手段であり、
前記期待演出実行手段は、前記特定演出で前記第１段階演出から段階が上がる可能性も、前記期待演出の中で示唆する
ことを特徴とする遊技機。
【手続補正３】
【補正対象書類名】明細書
【補正対象項目名】０００７
【補正方法】変更
【補正の内容】
【０００７】
本発明に係る遊技機によれば、識別情報の変動表示に伴って、判定の結果を示唆する特定演出が実行される。そして、この特定演出が実行される可能性が示唆されるので、遊技者に対して特定演出が実行されることへの期待感を煽ることが可能となる。さらに、本発明では、上記特定演出が進行するに従って演出態様を、第１段階に対応した第１段階演出から段階的に変化させて、段階が上がるほど上記特典が付与される可能性が高くなることが示唆される。こうした構成の下、上述したように特定演出が実行される可能性を示唆するだけでなく、この示唆を行う期待演出によって、その特定演出で第１段階演出から段階が上がる可能性も示唆される。このため、特定演出が実行されることへの期待感を煽るだけでなく、その特定演出が第１段階から段階が上がることへの期待感も煽ることができ、その結果、遊技の興趣を高めることが可能となる。
【手続補正書】
【提出日】令和1年9月11日(2019.9.11)
【手続補正１】
【補正対象書類名】明細書
【補正対象項目名】０００９
【補正方法】変更
【補正の内容】
【０００９】
前記課題を解決するために、本発明は、
外部装置内に配置される指保持部材であって、
指を対象物とし、前記対象物が配置される対象物配置具と、
前記指保持部材が前記外部装置内に配置されたとき、前記外部装置と連結されて、前記指保持部材の前記外部装置内での位置の変動を抑制する連結部と
を有することを特徴とする。
【手続補正２】
【補正対象書類名】特許請求の範囲
【補正対象項目名】全文
【補正方法】変更
【補正の内容】
【特許請求の範囲】
【請求項１】
外部装置内に配置される指保持部材であって、
指を対象物とし、前記対象物が配置される対象物配置具と、
前記指保持部材が前記外部装置内に配置されたとき、前記外部装置と連結されて、前記指保持部材の前記外部装置内での位置の変動を抑制する連結部と
を有することを特徴とする指保持部材。
【請求項２】
前記連結部は、前記外部装置の前記連結部が連結される箇所に配置された装置側連結部に嵌る形状を有している
ことを特徴とする請求項１に記載の指保持部材。
【請求項３】
前記対象物配置具の周面の一部に形成されたスリットを有し、
前記スリットは、前記対象物配置具内への前記対象物の配置、及び、前記対象物配置具内に配置されている前記対象物の、前記対象物配置具の外部への取り出し、を可能とするように形成されている
ことを特徴とする請求項１又は請求項２に記載の指保持部材。
【請求項４】
前記スリットは、配置前記対象物の前記対象物配置具への配置方向に沿って形成されていることを特徴とする請求項３に記載の指保持部材。
【請求項５】
前記対象物配置具の外周に沿って巻回され、前記スリットを塞ぐベルト部材を有する
ことを特徴とする請求項３又は請求項４に記載の指保持部材。
【請求項６】
前記ベルト部材は、前記対象物配置具の外側に、前記対象物配置具と一体に形成されている請求項５に記載の指保持部材。
【請求項７】
前記スリットは前記開口領域と繋がった位置に形成されている
ことを特徴とする請求項３から請求項６のいずれか一項に記載の指保持部材。
【請求項８】
前記対象物配置具は、使用者により変形させることが可能な軟質材料により形成されており、
前記使用者により前記対象物配置具の前記スリットが形成されている部分が広げられることにより、前記対象物の前記対象物配置具内への配置、及び、前記対象物配置具内に配置されている前記対象物の前記対象物配置具の外部への取り出し、が可能とされる
ことを特徴とする請求項３から請求項７のいずれか一項に記載の指保持部材。
【請求項９】
前記対象物配置具は、前記対象物が配置されている状態で、前記指の爪を外部に露出する開口領域を有する
ことを特徴とする請求項１から請求項８のいずれか一項に記載の指保持部材。
【請求項１０】
描画装置であって、
指を対象物とし、前記対象物が配置される対象物配置具と、前記対象物保持部材が前記描画装置に配置されたとき、前記描画装置と連結されて、前記指保持部材の前記描画装置内での位置の変動を抑制する連結部とを有する指保持部材と、
前記指保持部材が内部に配置される指受入部と、
前記指受入部内に配置されている前記指保持部材に配置されている前記対象物の前記指の爪に描画を施す描画機構と、
を備えることを特徴とする描画装置。
【請求項１１】
前記指受入部は、前記指保持部材が前記指受入部内に配置されたとき、前記連結部と連結されて、前記指受入部内での前記指保持部材の位置の変動を抑制する装置側連結部を備えていることを特徴とする請求項１０に記載の描画装置。
【請求項１２】
前記指受入部に配置されている前記対象物に接触して前記対象物の動きを抑制するように動作する指固定部材を有することを特徴とする請求項１０又は請求項１１に記載の描画装置。
【請求項１３】
前記指受入部に対応する位置に指押え部を有し、
前記指固定部材は、前記指受入部に配置されている対象物を前記指押え部に押圧するように動作することで前記対象物の動きを抑制する
ことを特徴とする請求項１２に記載の描画装置。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
ベース部に回転可能に支持されて回転駆動される回転レバーと、
前記ベース部に形成されたカム溝と、
前記カム溝内を移動するカムフォロアを有し、前記回転レバーを回転可能に連結された可動部材とを備え、
前記回転レバーの回動により前記可動部材を動かして遊技を演出する遊技機において、
前記カム溝には、前記回転レバーが回動範囲の一端である原点に位置したときに前記カムフォロアが位置する部分に、前記回転レバーの回動半径方向と略直交する方向に延びる原点直線部が備えられている遊技機。
【請求項２】
前記カム溝は、複数設けられ、
少なくとも２つ以上の前記カム溝に、前記原点直線部が備えられている遊技機。
【手続補正２】
【補正対象書類名】明細書
【補正対象項目名】０００６
【補正方法】変更
【補正の内容】
【０００６】
上記目的を達成するためになされた請求項１に係る発明は、ベース部に回転可能に支持されて回転駆動される回転レバーと、前記ベース部に形成されたカム溝と、前記カム溝内を移動するカムフォロアを有し、前記回転レバーを回転可能に連結された可動部材とを備え、前記回転レバーの回動により前記可動部材を動かして遊技を演出する遊技機において、前記カム溝には、前記回転レバーが回動範囲の一端である原点に位置したときに前記カムフォロアが位置する部分に、前記回転レバーの回動半径方向と略直交する方向に延びる原点直線部が備えられている遊技機である。
請求項２に係る発明は、前記カム溝は、複数設けられ、少なくとも２つ以上の前記カム溝に、前記原点直線部が備えられている遊技機である。
【手続補正３】
【補正対象書類名】明細書
【補正対象項目名】０００７
【補正方法】削除
【補正の内容】
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
所定条件の成立に基づいて当否判定を行う当否判定手段と、
前記当否判定の結果に基づいて識別情報を変動表示する識別情報表示手段と、
遊技球が入球可能な入球可能状態と、遊技球が入球不能な入球不能状態と、に変化可能な可変入球口と、
前記可変入球口を入球可能状態とする特別遊技を実行する特別遊技実行手段と、
特定位置から移動可能であって、特定キャラクタを表示した可動部材と、
前記特定キャラクタの画像を所定位置に表示可能なキャラクタ表示部と、を備え、
前記当否判定の結果が特定結果となると、前記識別情報を特定態様で停止表示して前記特別遊技を実行可能な遊技機であって、
前記識別情報の変動表示に伴って実行可能な遊技演出として、前記識別情報が停止表示する前に、前記特別遊技の実行可能性を事前報知する報知演出を有し、
前記報知演出は、前記特定キャラクタを遊技者が視認可能となる所定位置に示すものであり、
前記報知演出として、少なくとも、前記特定キャラクタの画像を前記キャラクタ表示部の第１位置に表示する第１報知演出と、前記特定キャラクタの画像を前記キャラクタ表示部の第２位置に表示する第２報知演出と、前記可動部材を移動させ当該可動部材に表示した前記特定キャラクタを前記キャラクタ表示部の前記第１位置の前方に位置させる第３報知演出と、を有し、
前記第１報知演出と前記第２報知演出と前記第３報知演出とで、前記特別遊技の実行可能性として異なる可能性を報知する
ことを特徴とする遊技機。
【請求項２】
前記第２報知演出は、前記第１報知演出よりも前記特別遊技の実行可能性として高い可能性を示す報知演出であり、前記第３報知演出は、前記第２報知演出よりも前記特別遊技の実行可能性として高い可能性を示す報知演出であることを特徴とする請求項１に記載の遊技機。
【手続補正２】
【補正対象書類名】明細書
【補正対象項目名】０００６
【補正方法】変更
【補正の内容】
【０００６】
（１）上述の課題を解決するための第１発明の遊技機は、
所定条件の成立に基づいて当否判定を行う当否判定手段と、
前記当否判定の結果に基づいて識別情報を変動表示する識別情報表示手段と、
遊技球が入球可能な入球可能状態と、遊技球が入球不能な入球不能状態と、に変化可能な可変入球口と、
前記可変入球口を入球可能状態とする特別遊技を実行する特別遊技実行手段と、
特定位置から移動可能であって、特定キャラクタを表示した可動部材と、
前記特定キャラクタの画像を所定位置に表示可能なキャラクタ表示部と、を備え、
前記当否判定の結果が特定結果となると、前記識別情報を特定態様で停止表示して前記特別遊技を実行可能な遊技機であって、
前記識別情報の変動表示に伴って実行可能な遊技演出として、前記識別情報が停止表示する前に、前記特別遊技の実行可能性を事前報知する報知演出を有し、
前記報知演出は、前記特定キャラクタを遊技者が視認可能となる所定位置に示すものであり、
前記報知演出として、少なくとも、前記特定キャラクタの画像を前記キャラクタ表示部の第１位置に表示する第１報知演出と、前記特定キャラクタの画像を前記キャラクタ表示部の第２位置に表示する第２報知演出と、前記可動部材を移動させ当該可動部材に表示した前記特定キャラクタを前記キャラクタ表示部の前記第１位置の前方に位置させる第３報知演出と、を有し、
前記第１報知演出と前記第２報知演出と前記第３報知演出とで、前記特別遊技の実行可能性として異なる可能性を報知する
ことを特徴とするものである。
このような遊技機によれば、第１報知演出及び第２報知演出において、キャラクタを第１位置又は第２位置に表示するキャラクタ表示部と、第１特定位置からキャラクタ表示部と重なる第２特定位置に移動可能な可動部材と、を備える。そして、報知演出として、可動部材を第２特定位置に示す第３報知演出を有し、第１報知演出と第２報知演出と第３報知演出とで、特別遊技の実行可能性として異なる可能性を報知するものとしている。これにより、報知演出として、キャラクタがキャラクタ表示部の第１位置に表示されるか、第２位置に表示されるか、若しくは、キャラクタ表示部と重なる位置である第２特定位置に可動部材が示されるか、によって、特別遊技の実行可能性として異なる可能性を示すことが可能となる。またこれにより、遊技者は報知演出において、どの位置にキャラクタが表示されるか（示されるか）に注目し、報知演出に対する注目度を高めることが可能となる。
【手続補正３】
【補正対象書類名】明細書
【補正対象項目名】０００７
【補正方法】変更
【補正の内容】
【０００７】
（２）また、第２発明の遊技機は、第１発明の遊技機において、
前記第２報知演出は、前記第１報知演出よりも前記特別遊技の実行可能性として高い可能性を示す報知演出であり、前記第３報知演出は、前記第２報知演出よりも前記特別遊技の実行可能性として高い可能性を示す報知演出であることを特徴とするものである。
このような遊技機によれば、第２報知演出は第１報知演出よりも特別遊技の実行可能性として高い可能性を示す報知演出とし、第３報知演出は第２報知演出よりも特別遊技の実行可能性として高い可能性を示す報知演出とする。すなわち、特別遊技の実行可能性として高い可能性を示す順に、第３報知演出、第２報知演出、第１報知演出となる。これにより、キャラクタ表示部（又はキャラクタ表示部前面）におけるキャラクタ又は可動部材の示される位置に注目させ、遊技者は、特別遊技の実行可能性としてより高い可能性を示す報知演出が実行されることに期待し、遊技興趣を高めることが可能となる。
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
所定条件の成立に基づいて当否判定を行う当否判定手段と、
前記当否判定の結果に基づいて識別情報を変動表示する識別情報表示手段と、
遊技球が入球可能な入球可能状態と、遊技球が入球不能な入球不能状態と、に変化可能な可変入球口と、
前記可変入球口を入球可能状態とする特別遊技を実行する特別遊技実行手段と、を備え、
前記当否判定の結果が特定結果となると、前記識別情報を特定態様で停止表示して前記特別遊技を実行可能な遊技機であって、
前記識別情報の変動表示に伴って実行可能な遊技演出として、前記識別情報が停止表示する前に、前記特別遊技の実行可能性を事前報知する報知演出を有し、
前記報知演出は、所定のキャラクタを遊技者が視認可能となる所定位置に示すものであり、
前記報知演出として、少なくとも、前記キャラクタが第１位置に位置する第１報知演出と、前記キャラクタが第２位置に位置する第２報知演出と、前記第１報知演出及び前記第２報知演出よりも前記特別遊技の実行可能性として高い可能性を示す特定報知演出と、を有し、
前記第１報知演出は前記特定報知演出に変化可能であり、前記第２報知演出は前記特定報知演出に変化しない
ことを特徴とする遊技機。
【請求項２】
前記第１報知演出は、前記第２報知演出よりも前記特別遊技の実行可能性として低い可能性を示す報知演出であることを特徴とする請求項１に記載の遊技機。
【請求項３】
前記識別情報の変動表示に伴って実行可能な遊技演出として、前記識別情報が前記特定態様で停止表示するかどうかを、所定の目的を達成するかどうかの演出で示す特定遊技演出を有し、
前記第１報知演出、前記第２報知演出、及び、前記第３報知演出は、前記特定遊技演出の開始前又は実行途中に、実行可能であることを特徴とする請求項１又は請求項２に記載の遊技機。
【手続補正２】
【補正対象書類名】明細書
【補正対象項目名】０００６
【補正方法】変更
【補正の内容】
【０００６】
（１）上述の課題を解決するための第１発明の遊技機は、
所定条件の成立に基づいて当否判定を行う当否判定手段と、
前記当否判定の結果に基づいて識別情報を変動表示する識別情報表示手段と、
遊技球が入球可能な入球可能状態と、遊技球が入球不能な入球不能状態と、に変化可能な可変入球口と、
前記可変入球口を入球可能状態とする特別遊技を実行する特別遊技実行手段と、を備え、
前記当否判定の結果が特定結果となると、前記識別情報を特定態様で停止表示して前記特別遊技を実行可能な遊技機であって、
前記識別情報の変動表示に伴って実行可能な遊技演出として、前記識別情報が停止表示する前に、前記特別遊技の実行可能性を事前報知する報知演出を有し、
前記報知演出は、所定のキャラクタを遊技者が視認可能となる所定位置に示すものであり、
前記報知演出として、少なくとも、前記キャラクタが第１位置に位置する第１報知演出と、前記キャラクタが第２位置に位置する第２報知演出と、前記第１報知演出及び前記第２報知演出よりも前記特別遊技の実行可能性として高い可能性を示す特定報知演出と、を有し、
前記第１報知演出は前記特定報知演出に変化可能であり、前記第２報知演出は前記特定報知演出に変化しないことを特徴とするものである。
このような遊技機によれば、識別情報の変動表示に伴って実行する遊技演出として、識別情報が停止表示する前に（識別情報の変動表示の結果が導出される前に）、特別遊技の実行可能性を事前報知する報知演出を有する。そして、この報知演出として、所定のキャラクタを第１位置で示す第１報知演出と、当該所定のキャラクタを第２位置で示す第２報知演出と、これら第１報知演出及び第２報知演出よりも特別遊技の実行可能性として高い可能性を示す特定報知演出と、を有している。また、報知演出として第１報知演出が実行された場合、当該第１報知演出は特定報知演出に変化可能とされ、第２報知演出が実行された場合、当該第２報知演出は特定報知演出に変化しないものとされる。
これにより、遊技者は報知演出において、どの位置にキャラクタが示されるかに注目し、報知演出に対する注目度を高めることが可能となる。また、第１報知演出が実行された場合、当該第１報知演出は、特別遊技の期待度がより高い特定報知演出に変化可能であるため、遊技者は、第１報知演出であることを示す位置にキャラクタが表示されることに期待し、遊技興趣を高めることが可能となる。
【手続補正３】
【補正対象書類名】明細書
【補正対象項目名】０００７
【補正方法】変更
【補正の内容】
【０００７】
（２）また、第２発明の遊技機は、第１発明の遊技機において、
前記第１報知演出は、前記第２報知演出よりも前記特別遊技の実行可能性として低い可能性を示す報知演出であることを特徴とするものである。
このような遊技機によれば、第１報知演出は第２報知演出よりも特別遊技の実行可能性（特別遊技の期待度）として低い可能性を示すものとする。すなわち、第２報知演出は、第１報知演出よりも特別遊技の実行可能性として高い可能性を示すものとされる。これにより、遊技者は、比較的特別遊技の実行可能性として高い可能性を示す第２報知演出が実行されることに期待し、遊技を行う。一方で、特別遊技の実行可能性として、第２報知演出よりも低い可能性を示す第１報知演出が実行された場合であっても、その後、特定報知演出に変化する可能性があるため、遊技者は、第１報知演出が実行された場合にも期待感を継続して遊技を行うことが可能となる。またこれにより、遊技興趣を長い期間に亘って高く保つことが可能となる。
（３）また、第３発明の遊技機は、第１発明又は第２発明の遊技機において、
前記識別情報の変動表示に伴って実行可能な遊技演出として、前記識別情報が特定態様で停止表示するかどうかを、所定の目的を達成するかどうかの演出で示す特定遊技演出を有し、
前記第１報知演出、前記第２報知演出、及び、前記第３報知演出は、前記特定遊技演出の開始前又は実行途中に、実行可能であることを特徴とするものである。
このような遊技機によれば、識別情報の変動表示に伴って実行する遊技演出として、当該識別情報が特定態様で停止表示するかどうかを、所定の目的を達成するかどうかの演出で示す特定遊技演出を有する。そして、この特定遊技演出の開始前又は実行途中に、前記第１報知演出、前記第２報知演出、及び、前記第３報知演出を実行可能としている。これにより、特定遊技演出の開始前、又は実行途中において、報知演出のどの位置にキャラクタが示されるか、すなわち、第１報知演出、第２報知演出、及び、第３報知演出の何れが実行されるかに注目し、報知演出に対する注目度を高めることが可能となる。またこれにより、第１報知演出、第２報知演出、及び、第３報知演出の何れが実行されるかによって、その後に実行される特定遊技演出の期待感が異なり、遊技興趣を高めることが可能となる。ここで、特定遊技演出として、リーチ演出やキャラクタ演出を例示することが可能である。
【手続補正書】
【提出日】令和1年8月13日(2019.8.13)
【手続補正１】
【補正対象書類名】明細書
【補正対象項目名】００５２
【補正方法】変更
【補正の内容】
【００５２】
なお、上の例では、第１の電流ｉ１と第２の電流ｉ２との間の差は、第１の電流ｉ１のピーク・ツー・ピーク値ｉ１ｐ−ｐと第２の電流ｉ２のピーク・ツー・ピーク値ｉ２ｐ−ｐとの間の差（ｉ１ｐ−ｐ−ｉ２ｐ−ｐ）であるものとした。しかしながら、これに限られるものではない。第１の電流ｉ１と第２の電流ｉ２との間の差は、第１の電流ｉ１の振幅と第２の電流ｉ２の振幅との間の差、または、第１の電流ｉ１の実効値と第２の電流ｉ２の実効値との間の差であるものとしてもよい。いずれの場合も、第１、第２の電流の位相にかかわらず、上記「差」を簡単に求めることができる。
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域を前面に有する遊技盤と、
前記遊技盤の前面から突出して、前記遊技領域を流下する遊技球が前記遊技盤を貫通する開口部の内側へ進入することを規制し、かつ流下する遊技球を受け止め下方へ案内可能な流下案内壁と、
発射装置から発射された遊技球を前記遊技領域に案内する案内路と、
前記案内路への遊技球の逆流を規制する球戻り規制部材と、
前記遊技領域を包囲する外レール部及び内レール部を備え、
前記外レール部と前記内レール部との間に前記案内路を形成する遊技機において、
前記球戻り規制部材は、
前記内レール部に固定される支持ベースと、
前記支持ベースに回動可能に支持され、前記遊技盤の前面に沿って移動して前記案内路を開閉し、通常は、前記案内路を閉じる閉位置に付勢される開閉部材と、を有し、
前記遊技領域には、前記球戻り規制部材に対向配置される対向樹脂突部が設けられ、
開状態の前記球戻り規制部材と前記対向樹脂突部との間隔が、遊技球１個分より大きく、
前記流下案内壁と前記対向樹脂突部との間隔が、遊技球１個分より大きく１．５個分以下であり、
前記対向樹脂突部の下端よりも下側であり、かつ前記球戻り規制部材の近傍に釘部材が設けられていることを特徴とする遊技機。
【請求項２】
前記対向樹脂突部には、前記支持ベースを外側から囲むように配される対向円弧面が設けられ、
前記対向円弧面と前記支持ベースとの間隔が遊技球１個分より大きく１．５個分以下である請求項１に記載の遊技機。
【手続補正２】
【補正対象書類名】明細書
【補正対象項目名】０００６
【補正方法】変更
【補正の内容】
【０００６】
第１の発明は、遊技球が流下可能な遊技領域を前面に有する遊技盤と、前記遊技盤の前面から突出して、前記遊技領域を流下する遊技球が前記遊技盤を貫通する開口部の内側へ進入することを規制し、かつ流下する遊技球を受け止め下方へ案内可能な流下案内壁と、発射装置から発射された遊技球を前記遊技領域に案内する案内路と、前記案内路への遊技球の逆流を規制する球戻り規制部材と、前記遊技領域を包囲する外レール部及び内レール部を備え、前記外レール部と前記内レール部との間に前記案内路を形成する遊技機において、前記球戻り規制部材は、前記内レール部に固定される支持ベースと、前記支持ベースに回動可能に支持され、前記遊技盤の前面に沿って移動して前記案内路を開閉し、通常は、前記案内路を閉じる閉位置に付勢される開閉部材と、を有し、前記遊技領域には、前記球戻り規制部材に対向配置される対向樹脂突部が設けられ、開状態の前記球戻り規制部材と前記対向樹脂突部との間隔が、遊技球１個分より大きく、前記流下案内壁と前記対向樹脂突部との間隔が、遊技球１個分より大きく１．５個分以下であり、前記対向樹脂突部の下端よりも下側であり、かつ前記球戻り規制部材の近傍に釘部材が設けられていることを特徴とする遊技機である。
第２の発明は、前記対向樹脂突部には、前記支持ベースを外側から囲むように配される対向円弧面が設けられ、前記対向円弧面と前記支持ベースとの間隔が遊技球１個分より大きく１．５個分以下である請求項１に記載の遊技機である。
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域を前面に有する遊技盤と、
前記遊技盤を貫通する開口部と、
前記開口部に前側から嵌合されて、前記遊技領域を流下する遊技球が前記開口部の内側に進入することを規制する進入規制枠と、を有し、
前記遊技盤の前面に敷設される樹脂製のベース板と、前記ベース板から突出し且つ遊技球が衝突することでその遊技球の流下方向を変更可能な樹脂突部と、からなる樹脂体を前記進入規制枠とは別体に設け、
前記進入規制枠には、前記開口部の縁部に重ねられる張出片が設けられると共に、
前記ベース板のうち前記進入規制枠側を向く部分には境界縁部が設けられ、
前記境界縁部の少なくとも一部が前記張出片に沿って配置され、
前記張出片のうち前記境界縁部と対向する部分は、前記境界縁部に近づくに従って後側へ近付くように傾斜する傾斜面を有する遊技機。
【手続補正２】
【補正対象書類名】明細書
【補正対象項目名】０００６
【補正方法】変更
【補正の内容】
【０００６】
上記目的を達成するためになされた請求項１の発明は、遊技球が流下可能な遊技領域を前面に有する遊技盤と、前記遊技盤を貫通する開口部と、前記開口部に前側から嵌合されて、前記遊技領域を流下する遊技球が前記開口部の内側に進入することを規制する進入規制枠と、を有し、前記遊技盤の前面に敷設される樹脂製のベース板と、前記ベース板から突出し且つ遊技球が衝突することでその遊技球の流下方向を変更可能な樹脂突部と、からなる樹脂体を前記進入規制枠とは別体に設け、前記進入規制枠には、前記開口部の縁部に重ねられる張出片が設けられると共に、前記ベース板のうち前記進入規制枠側を向く部分には境界縁部が設けられ、前記境界縁部の少なくとも一部が前記張出片に沿って配置され、前記張出片のうち前記境界縁部と対向する部分は、前記境界縁部に近づくに従って後側へ近付くように傾斜する傾斜面を有する遊技機である。
【手続補正３】
【補正対象書類名】明細書
【補正対象項目名】０００７
【補正方法】変更
【補正の内容】
【０００７】
請求項１の発明では、樹脂突部を有する樹脂体が進入規制枠と別体に設けられているので、樹脂突部を交換する際に、進入規制枠ごと交換する必要がなくなり、樹脂突部の交換を容易に行うことが可能となる。
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
被写体を透過した放射線に基づく放射線画像を生成する画素と前記放射線の線量を計測する画素とを有する撮影部と、前記計測された線量と閾値との比較により前記放射線の照射を制御するための信号を出力する制御手段と、を有する放射線撮影装置であって、
前記被写体の撮影部位情報に応じて前記線量の計測に使用する画素の線量計測領域を設定する領域設定手段と、
前記撮影部位情報に対応する線量計測領域を表示する領域表示手段と、
を備えることを特徴とする放射線撮影装置。
【請求項２】
前記領域設定手段は、撮影部位毎に予め設定されている複数の線量計測領域の中から、撮影条件情報に含まれる撮影部位情報に基づいて、対応する撮影部位の線量計測領域を選択することを特徴とする請求項１に記載の放射線撮影装置。
【請求項３】
前記領域表示手段は、前記撮影部位情報に対応する線量計測領域として、予め設定された位置または面積の線量計測領域と、前記設定を変更した位置または面積の線量計測領域とを表示することを特徴とする請求項１または２に記載の放射線撮影装置。
【請求項４】
前記領域表示手段は、複数の撮影部位のそれぞれに対応する複数の線量計測領域を表示することを特徴とする請求項１に記載の放射線撮影装置。
【請求項５】
前記領域表示手段は、複数の線量計測領域のそれぞれを、表示色または線種により識別可能に表示することを特徴とする請求項４に記載の放射線撮影装置。
【請求項６】
前記領域表示手段は、前記撮影部に着脱可能に構成されていることを特徴とする請求項１乃至５のいずれか１項に記載の放射線撮影装置。
【請求項７】
前記領域表示手段は、前記撮影部に対して向きを合わせるため手段と、前記撮影部の装着面内で前記線量計測領域の表示位置を合わせるための手段と、を有することを特徴とする請求項６に記載の放射線撮影装置。
【請求項８】
前記領域表示手段の少なくとも一つの端面には、前記撮影部の筐体構造との干渉を避けるための干渉回避部が形成されており、
前記干渉回避部と、前記筐体構造との向きを合わせることにより、前記領域表示手段は、前記撮影部に対して向きが合うように構成されていることを特徴とする請求項１乃至７のいずれか１項に記載の放射線撮影装置。
【請求項９】
前記領域表示手段の端面には、前記撮影部に配置されている磁石の極性と異なる極性の磁石が配置されており、
前記領域表示手段は、前記磁石の磁力により前記撮影部に装着可能に構成されていることを特徴とする請求項１乃至８のいずれか１項に記載の放射線撮影装置。
【請求項１０】
前記領域表示手段は、前記撮影部の表面に前記線量計測領域を描画することにより構成されることを特徴とする請求項１に記載の放射線撮影装置。
【請求項１１】
前記領域表示手段は、グリッドを使用する撮影の場合に、グリッドの表面またはグリッドフレームの表面に前記線量計測領域を描画することにより構成されることを特徴とする請求項１または２に記載の放射線撮影装置。
【請求項１２】
前記領域表示手段は、前記被写体の撮影部位情報に応じて前記線量の計測に使用する画素の線量計測領域の画像を、前記撮影部に対して投影表示する投影部を有することを特徴とする請求項１または２に記載の放射線撮影装置。
【請求項１３】
前記領域表示手段は、放射線を照射する放射線発生手段に装着されることを特徴とする請求項１２に記載の放射線撮影装置。
【請求項１４】
前記制御手段は、前記領域設定手段により設定された線量計測領域を示す情報に基づいて、前記線量の計測に使用する画素の画素領域を特定し、
前記特定した画素領域の画素に対する駆動制御信号に基づいて、定期的に読み出しを行う線量モニタリング駆動を指示することを特徴とする請求項１乃至１３のいずれか１項に記載の放射線撮影装置。
【請求項１５】
前記制御手段は、前記画素領域の画素により計測された線量の積算値と予め設定されている閾値との比較結果に基づいて、前記積算値が前記閾値を上回っている場合に、放射線の照射を停止するように制御することを特徴とする請求項１４に記載の放射線撮影装置。
【請求項１６】
前記放射線画像に画像処理を行う画像処理手段と、
表示手段の表示を制御する表示制御手段と、を更に備え、
前記表示制御手段は、画像処理後の画像と、前記領域設定手段により設定された線量計測領域とを重畳する表示形式で前記表示手段に表示させることを特徴とする請求項１乃至１５のいずれか１項に記載の放射線撮影装置。
【請求項１７】
被写体を透過した放射線に基づく放射線画像を生成する画素と前記放射線の線量を計測する画素とを有する撮影部と、前記計測された線量と閾値との比較により前記放射線の照射を制御するための信号を出力する制御手段と、を有する放射線撮影装置の放射線撮影方法であって、
領域設定手段が、前記被写体の撮影部位情報に応じて前記線量の計測に使用する画素の線量計測領域を設定する工程と、
領域表示手段が、前記撮影部位情報に対応する線量計測領域を表示する工程と、を有することを特徴とする放射線撮影方法。
【請求項１８】
コンピュータに、請求項１７に記載の放射線撮影方法の各工程を実行させるためのプログラム。
【手続補正２】
【補正対象書類名】明細書
【補正対象項目名】０００９
【補正方法】変更
【補正の内容】
【０００９】
上記課題を解決するために本発明の放射線撮影装置は、以下の構成を有する。すなわち、本発明の一つの態様に係る放射線撮影装置は、被写体を透過した放射線に基づく放射線画像を生成する画素と前記放射線の線量を計測する画素とを有する撮影部と、前記計測された線量と閾値との比較により前記放射線の照射を制御するための信号を出力する制御手段と、を有する放射線撮影装置であって、前記被写体の撮影部位情報に応じて前記線量の計測に使用する画素の線量計測領域を設定する領域設定手段と、前記撮影部位情報に対応する線量計測領域を表示する領域表示手段と、を備えることを特徴とする。